(57)【要約】【課題】消費電力をより削減することができる画像読取装置、画像形成装置および制御プログラムを提供する。【解決手段】スキャナ部で原稿の画像の読み取り動作を行っている間に原稿ジャム等の異常が発生すると、まずスキャナ画像処理部に対する電源供給を遮断し、このスキャナ画像処理部に対する電源供給が遮断された後、若しくは、スキャナ画像処理部に対する電源供給の遮断と同時に、原稿搬送モータを停止させる処理や、メモリに異常発生を示すログデータを書き込む処理を開始する。【選択図】図８
2012060598.tif 000002
【特許請求の範囲】
【請求項１】
原稿の画像の読み取りおよび読み取った画像の処理を行う画像読取処理手段と、
原稿を搬送する原稿搬送モータと、
前記画像読取処理手段による画像の読み取り動作中に発生する異常を検知する検知手段と、
前記検知手段が異常を検知した場合に、前記画像読取処理手段に対する電源供給を遮断する電源制御手段と、
前記電源制御手段が前記画像読取処理手段に対する電源供給を遮断した後に、または、前記画像読取処理手段に対する電源供給を遮断するのと同時に、前記原稿搬送モータを停止させる処理を開始する制御手段と、を備えることを特徴とする画像読取装置。
【請求項２】
前記画像読取処理手段による画像の読み取り動作中に発生した異常の情報がログデータとして格納される記憶手段をさらに備え、
前記制御手段は、前記電源制御手段が前記画像読取処理手段に対する電源供給を遮断した後に、または、前記画像読取処理手段に対する電源供給を遮断するのと同時に、前記記憶手段に前記ログデータを格納する処理を開始することを特徴とする請求項１に記載の画像読取装置。
【請求項３】
前記画像読取処理手段に対する電源供給状態を切り換える切り換えスイッチをさらに備え、
前記電源制御手段は、前記検知手段が異常を検知した場合に、前記切り換えスイッチをオフすることで前記画像読取処理手段に対する電源供給を遮断することを特徴とする請求項１または２に記載の画像読取装置。
【請求項４】
前記電源制御手段は、前記画像読取処理手段に対する電源供給を遮断した後、前記検知手段が異常を検知したままの状態で予め設定された一定時間が経過した場合に、前記画像読取処理手段以外の少なくとも一部に対する電源供給を遮断することを特徴とする請求項１〜３のいずれか一項に記載の画像読取装置。
【請求項５】
前記画像読取処理手段に対する電源供給が遮断されている状態の持続時間を計測する計測手段をさらに備え、
前記制御手段は、前記持続時間が所定時間を超える前に前記画像読取処理手段に対する電源供給が再開された場合に、第１の初期設定処理を行うとともに、前記持続時間が前記所定時間を超えた後に前記画像読取処理手段に対する電源供給が再開された場合に、前記第１の初期設定処理よりも設定項目の多い第２の初期設定処理を行うことを特徴とする請求項１〜４のいずれか一項に記載の画像読取装置。
【請求項６】
請求項１〜５のいずれか一項に記載の画像読取装置と、
前記画像読取装置から出力される画像データに基づいて画像を形成する画像形成手段と、を備えることを特徴とする画像形成装置。
【請求項７】
原稿の画像の読み取りおよび読み取った画像の処理を行う画像読取処理手段と、原稿を搬送する原稿搬送モータと、前記画像読取処理手段による画像の読み取り動作中に発生する異常を検知する検知手段と、を備える画像読取装置に、
前記検知手段が異常を検知した場合に、前記画像読取処理手段に対する電源供給を遮断する機能と、
前記電源制御手段が前記画像読取処理手段に対する電源供給を遮断した後に、または、前記画像読取処理手段に対する電源供給を遮断するのと同時に、前記原稿搬送モータを停止させる処理を開始する機能と、を実現させるための制御プログラム。
【発明の詳細な説明】
【技術分野】
【０００１】
本発明は、画像読取装置、画像形成装置および制御プログラムに関する。
【背景技術】
【０００２】
イメージスキャナ等の画像読取装置や、この画像読取装置を備えるデジタル複写機等の画像形成装置は、オフィス環境などにおいて欠くことのできない機器として広く普及している。近年、経費削減や環境保護の観点から、これら画像読取装置や画像形成装置が消費する電力を削減する取り組みが盛んに行われるようになってきている。
【０００３】
画像読取装置や画像形成装置の消費電力を削減するのに有効な技術として、従来、これらの機器の動作モードに省電力モードを設け、何の処理も行われない待機状態のまま予め設定した時間が経過した場合に自動的に省電力モードに移行し、必要最低限の電源供給のみを行うことで、無駄な電力消費を削減する技術が知られている。また、何らかの異常が発生した場合には省電力モードに移行することで消費電力の削減を図ることも提案されている。例えば、特許文献１には、エンジンがエラー状態になってから一定時間が経過すると自動的に省電力モードに移行して消費電力の削減を図り、省電力モードのときに外部から画像データが送信された場合はその画像データをメモリに保存しておき、エラー状態が解除された後にメモリに保存しておいた画像データを読み出して画像形成を行う画像形成装置が開示されている。
【発明の概要】
【発明が解決しようとする課題】
【０００４】
しかしながら、上記の特許文献１に記載されている技術をはじめとして、異常が発生した場合に省電力モードに移行することで消費電力の削減を図る従来の技術は、異常が発生してから一定時間が経過した後に省電力モードに移行するようにしているため、省電力モードに移行するまでの間に無駄な電力消費が発生してしまうという問題があった。
【０００５】
本発明は、上記に鑑みてなされたものであって、消費電力をより削減することができる画像読取装置、画像形成装置および制御プログラムを提供することを目的としている。
【課題を解決するための手段】
【０００６】
上述した課題を解決し、目的を達成するために、本発明にかかる画像読取装置は、原稿の画像の読み取りおよび読み取った画像の処理を行う画像読取処理手段と、原稿を搬送する原稿搬送モータと、前記画像読取処理手段による画像の読み取り動作中に発生する異常を検知する検知手段と、前記検知手段が異常を検知した場合に、前記画像読取処理手段に対する電源供給を遮断する電源制御手段と、前記電源制御手段が前記画像読取処理手段に対する電源供給を遮断した後に、または、前記画像読取処理手段に対する電源供給を遮断するのと同時に、前記原稿搬送モータを停止させる処理を開始する制御手段と、を備えることを特徴とする。
【０００７】
また、本発明にかかる画像形成装置は、本発明にかかる画像読取装置と、前記画像読取装置から出力される画像データに基づいて画像を形成する画像形成手段と、を備えることを特徴とする。
【０００８】
また、本発明にかかる制御プログラムは、原稿の画像の読み取りおよび読み取った画像の処理を行う画像読取処理手段と、原稿を搬送する原稿搬送モータと、前記画像読取処理手段による画像の読み取り動作中に発生する異常を検知する検知手段と、を備える画像読取装置に、前記検知手段が異常を検知した場合に、前記画像読取処理手段に対する電源供給を遮断する機能と、前記電源制御手段が前記画像読取処理手段に対する電源供給を遮断した後に、または、前記画像読取処理手段に対する電源供給を遮断するのと同時に、前記原稿搬送モータを停止させる処理を開始する機能と、を実現させるための制御プログラムである。
【発明の効果】
【０００９】
本発明によれば、画像読取処理手段による画像の読み取り動作中に異常が発生した場合に、該画像読取処理手段に対する電源供給を遮断した後、または、該画像読取処理手段に対する電源供給の遮断と同時に原稿搬送モータを停止させる処理を開始するので、原稿搬送モータを停止させる処理が終了するのを待たずに画像読取処理手段に対する電源供給を遮断して画像読取処理手段での無駄な消費電力の削減を図ることができ、消費電力をより削減することができるという効果を奏する。
【図面の簡単な説明】
【００１０】
【図１】図１は、実施の形態にかかるデジタル複写機の全体構成を模式的に示す側面図である。
【図２】図２は、実施の形態にかかるデジタル複写機の電気的な回路構成を示すブロック図である。
【図３】図３は、実施の形態にかかるデジタル複写機における動作モードの遷移を示す状態遷移図である。
【図４】図４は、動作モードごとのデジタル複写機の各部に対する電源供給状態を纏めた図である。
【図５】図５は、プラグインモードからスタンバイモードに移行する際の一連の動作を示すフローチャートである。
【図６】図６は、第１の初期設定処理を示すフローチャートである。
【図７】図７は、第２の初期設定処理を示すフローチャートである。
【図８】図８は、スタンバイモードからスキャナモードに移行して原稿の読み取りを行う際の一連の動作を示すフローチャートである。
【図９】図９は、原稿の位置に対するスキャナ部の動作を説明する図であり、スキャナ部を上方から見下ろした様子を模式的に表す平面図である。
【図１０】図１０は、スリープモードからスタンバイモードに移行する際の一連の動作を示すフローチャートである。
【図１１】図１１は、カスタマーエンジニアによって異常状態からの復旧作業が行われた後の一連の動作を示すフローチャートである。
【発明を実施するための形態】
【００１１】
以下に添付図面を参照して、この発明にかかる画像読取装置、画像形成装置および制御プログラムの最良な実施の形態を詳細に説明する。以下に示す実施の形態は、シートスルー方式のスキャナ部で原稿の画像を読み取り、プロッタ部で原稿の画像をロール紙に印刷する大判対応型のデジタル複写機に対して本発明を適用した例である。
【００１２】
図１は、本実施の形態にかかるデジタル複写機の全体構成を模式的に示す側面図である。本実施の形態にかかるデジタル複写機は、図１に示すように、プロッタ部１とスキャナ部２とを備えている。
【００１３】
プロッタ部１には、給紙部１０が設けられている。給紙部１０には、複数のロール紙（用紙）Ｐと、用紙Ｐを搬送する給紙ローラ１１ａ，１１ｂ，１２ａ，１２ｂ、１３と、これら給紙ローラ１１ａ，１１ｂ，１２ａ，１２ｂ，１３を駆動する給紙モータ１４が配置されている。用紙Ｐは、給紙ローラ１１ａ，１１ｂ，１２ａ，１２ｂ，１３で搬送された後、レジストモータ１６で駆動されるレジストローラ１５によりプラテン板１７まで搬送される。
【００１４】
プラテン板１７には複数の貫通孔が設けられている。また、プラテン板１７の下部には、プラテン板１７上の用紙Ｐを吸引する図示しない吸引ファンが配置されている。レジストローラ１５によりプラテン板１７まで搬送された用紙Ｐは、プラテン板１７に設けられた複数の貫通孔を介して吸引ファンによりプラテン板１７上に吸いつけられて、その姿勢が保持される。
【００１５】
プラテン板１７の上部には、インクを吐出するためのヘッド１８を搭載したキャリッジ１９が配置されている。キャリッジ１９は、用紙Ｐの搬送方向と直交する主走査方向（用紙Ｐの幅方向）に沿って往復移動する。また、キャリッジ１９が停止している間に、レジストローラ１５により用紙Ｐがヘッド１８の印字ラインに相当する送り量分だけ搬送方向（副走査方向）に送られる。そして、キャリッジ１９が、スキャナ部２から出力される画像データに基づいて、主走査方向に移動しながらヘッド１８からプラテン板１７上の用紙Ｐに向かってインクを吐出することで、用紙Ｐに原稿画像を描画する。
【００１６】
原稿画像が描画された用紙Ｐは、それぞれ対をなす排紙ローラ２０ａ，２０ｂおよび２１ａ，２１ｂにより所定の位置まで搬送され、カッタ２２でカットされて排出口２３から排出される。
【００１７】
スキャナ部２は、原稿台３０に載置された原稿Ｇを原稿挿入口３１からスキャナ部２の内部に取り込み、原稿搬送モータ３３により駆動される原稿搬送ローラ３２ａ，３２ｂによって原稿Ｇを搬送しながら、その搬送経路に設けられた密着イメージセンサ（以下、ＣＩＳという。）３４により原稿の画像を読み取るシートスルー方式の画像読取装置である。
【００１８】
原稿搬送ローラ３２ａは原稿Ｇの搬送経路におけるＣＩＳ３４よりも上流側に配置され、原稿搬送ローラ３２ｂは原稿Ｇの搬送経路におけるＣＩＳ３４よりも下流側に配置されている。また、ＣＩＳ３４の画像読取面と対向する位置には、搬送される原稿ＧをＣＩＳ３４の画像読取面に密着させる原稿押さえ板３５が配置されている。
【００１９】
原稿挿入口３１の近傍には、挿入された原稿Ｇを検出する原稿挿入センサＳｅ０と、原稿Ｇのサイズを検出する複数の原稿サイズセンサＳｅ１〜Ｓｅ４が設けられている。なお原稿挿入センサＳｅ０は、デジタル複写機の正面から見て略中央に配置され、原稿サイズセンサＳｅ１〜Ｓｅ４は、原稿挿入センサＳｅ０からデジタル複写機の側面方向に向かって間隔をあけて順次配列されている（図９参照）。また、原稿Ｇの搬送経路における原稿挿入センサＳｅ０の下流側には、原稿の副走査方向の読取用幅信号を出力する原稿レジストセンサＳｅ５が配置され、原稿Ｇをスキャナ部２の外部に排出する原稿排出口３６の近傍には、原稿Ｇが排出されたことを検出する原稿排出センサＳｅ６が配置されている。
【００２０】
また、ＣＩＳ３４の画像読取面を開閉する原稿カバー３７には、この原稿カバー３７の開閉を検出するカバー開閉センサＳｅ７が設けられている。また、原稿カバー３７と一体に設けられた操作部７の近傍には、原稿Ｇの搬送を緊急停止させる緊急停止キーＳｅ８が設けられている。なお、デジタル複写機のメインスイッチ８は、プロッタ部１を内蔵する筐体の外側に配置されている。
【００２１】
原稿台３０に載置された原稿Ｇは、原稿挿入口３１からスキャナ部２の内部に取り込まれ、原稿搬送モータ３３により駆動される原稿搬送ローラ３２ａ，３２ｂによってＣＩＳ３４の画像読取面と対向する位置を通過するように搬送される。そして、原稿ＧがＣＩＳ３４の画像読取面と対向する位置を通過する過程で、原稿Ｇの画像がＣＩＳ３４によって光学的に読み取られる。画像の読み取りが終了した原稿Ｇは、原稿排出口３６から排出される。
【００２２】
このとき、原稿Ｇの挿入は原稿挿入センサＳｅ０により検出され、原稿Ｇの排出は原稿排出センサＳｅ６により検出される。また、原稿サイズセンサＳｅ１〜Ｓｅ４により原稿Ｇのサイズが検出される。また、原稿Ｇの先端が原稿レジストセンサＳｅ５の位置に到達すると原稿レジストセンサＳｅ５から原稿Ｇの副走査方向の読取用幅信号が出力される。また、原稿Ｇの読み取りを行っている間に発生するジャムなどの異常は、例えば、これらの各センサが本来あるべき反応を示さないことによって検知することができる。
【００２３】
図２は、本実施の形態にかかるデジタル複写機の電気的な回路構成を示すブロック図であり、特にデジタル複写機の各部に対する電源の供給経路を示した図である。図中の実線の矢印が各部に対する電源の供給経路を示している。
【００２４】
本実施の形態にかかるデジタル複写機は、図２に示すように、上述したプロッタ部１およびスキャナ部２に加え、システム制御部３と、システム制御部３により制御されるＩ／Ｏ部４と、外部Ｉ／Ｆ部５と、電源部６と、操作部７およびメインスイッチ８を備えている。
【００２５】
システム制御部３は、ＣＰＵ３０１、メモリ３０２、タイマ３０３を備え、ＣＰＵ３０１によりデジタル複写機としての基本処理プログラムを実行することによって、プロッタ部１やスキャナ部２、Ｉ／Ｏ部４、外部Ｉ／Ｆ部５などのデジタル複写機の各部の動作を制御する。また、特に本実施の形態にかかるデジタル複写機では、スキャナ部２に対する電源制御を実施するための制御プログラムがシステム制御部３のメモリ３０２に格納されており、ＣＰＵ３０１がこの制御プログラムを実行することによって、システム制御部３に電源制御部３１０が設けられる。この電源制御部３１０は、電源部６に設けられた切り換えスイッチ６０２やスキャナ部２に設けられた切り換えスイッチ２３３，２４４に電源切り換え信号（図２中の破線で示す矢印）を送り、これら切り換えスイッチ６０２，２３３，２４４のオン／オフを制御することで、デジタル複写機の各部に対する電源供給を制御する機能ブロックである。
【００２６】
外部Ｉ／Ｆ部５には、外部装置、例えばパーソナルコンピュータやサーバ等が接続されている。外部Ｉ／Ｆ部５は、システム制御部３の制御のもとで外部装置と通信し、外部装置との間で画像データの送受信を行う。
【００２７】
電源部６は、外部商用電源９を整流および電圧調整して必要な電圧・電流を生成するＡＣ／ＤＣコンバータ６０１と、システム制御部３の電源制御部３１０からの電源切り換え信号によってオン／オフが切り換えられる切り換えスイッチ６０２を備える。電源部６は、切り換えスイッチ６０２がオンされている場合に、ＡＣ／ＤＣコンバータ６０１で生成された直流電源をプロッタ部１、スキャナ部２、システム制御部３、外部Ｉ／Ｆ部５、操作部７の各部に電源を供給し、切り換えスイッチ６０２がオフされると、上記各部への電源供給を遮断する。また、電源部６は、切り換えスイッチ６０２がオフされている場合であっても、システム制御部３の一部（少なくともＣＰＵ３０１）、外部Ｉ／Ｆ部５、操作部７の一部（主電源キー）に対しては、切り換えスイッチ６０２を介さずに、ＡＣ／ＤＣコンバータ６０１で生成された直流電源を直接供給する。
【００２８】
操作部７は、使用者がデジタル複写機を使用する際に操作する主電源キーや、使用者が直接コマンドを入力するためのキー（テンキー、コピースタートキー、モード設定キー等）を備えている。この操作部７から入力されたコマンドの処理は、システム制御部３で実行される。
【００２９】
メインスイッチ８は、デジタル複写機の電源部６と外部商用電源９との接続／遮断を切り換えるスイッチである。
【００３０】
プロッタ部１は、インクを吐出して画像を書き込む上述したヘッド１８と、システム制御部３による制御のもとで、ヘッド１８により書き込む画像のデータを処理する画像書込処理部１１０と、画像書込処理部１１０から出力された書込画像データを用紙Ｐに書き込むためにヘッド１８を制御する書込制御部１２０を備える。画像書込処理部１１０には、書込画像のデータ処理を実行するＡＳＩＣ（Application  Specific  Integrated  Circuit）１１１および処理に必要なデータを格納するメモリ１１２が設けられている。
【００３１】
スキャナ部２は、回路構成として、スキャナ画像処理部２１０（特許請求の範囲に記載の「画像読取処理手段」に相当）と、スキャナ制御部２２０を備える。
【００３２】
スキャナ画像処理部２１０は、スキャナ部２のうち、原稿の画像の読み取りおよび読み取った画像の処理を行う部分であり、原稿の画像を光学的に読み取る上述したＣＩＳ３４と、読取制御部２３０と、読取画像処理部２４０を備える。
【００３３】
読取制御部２３０には、ＡＦＥ（アナログフロントエンド）２３１およびメモリ２３２が設けられており、ＣＩＳ３４によって読み取られたアナログ画像データをＡＦＥ２３１でデジタル画像データに変換して読取画像処理部２４０に出力する。また、読取制御部２３０には、システム制御部３の電源制御部３１０からの電源切り換え信号によってオン／オフが切り換えられる切り換えスイッチ２３３が設けられており、電源部６から読取制御部２３０内のＡＦＥ２３１およびメモリ２３２、ＣＩＳ３４への電源の供給と遮断を、この切り換えスイッチ２３３のオン／オフによって切り換えられるようになっている。
【００３４】
読取画像処理部２４０には、ＡＳＩＣ２４１、メモリ２４２、ＦＰＧＡ（Field  Programmable  Gate  Array）２４３などが設けられており、ＣＩＳ３４によって読み取られた画像に対して所定の画像処理を実行して、読み取り画像データとしてプロッタ部１に出力する。また、読取画像処理部２４０にも、読取制御部２３０に設けられた切り換えスイッチ２３３と同様に、システム制御部３の電源制御部３１０からの電源切り換え信号によってオン／オフが切り換えられる切り換えスイッチ２４４が設けられており、電源部６から読取画像処理部２４０内のＡＳＩＣ２４１、メモリ２４２、ＦＰＧＡ２４３への電源の供給と遮断を、この切り換えスイッチ２４４のオン／オフによって切り換えられるようになっている。
【００３５】
スキャナ制御部２２０は、スキャナ部２のうち、原稿Ｐの搬送制御や異常検知などを行う部分であり、原稿Ｐを搬送するための上述した原稿搬送モータ３３と、この原稿搬送モータ３３の駆動制御を行うモータドライバ２２１と、スキャナセンサ部２２２を備える。スキャナセンサ部２２２は、上述した原稿挿入センサＳｅ０、原稿サイズセンサＳｅ１〜Ｓｅ４、原稿レジストセンサＳｅ５、原稿排出センサＳｅ６、カバー開閉センサＳｅ７および緊急停止キーＳｅ８の総称である。
【００３６】
本実施の形態にかかるデジタル複写機では、以上のように、スキャナ部２のスキャナ画像処理部２１０に、システム制御部３の電源制御部３１０からの電源切り換え信号によってオン／オフが切り換えられる切り換えスイッチ２３３，２４４を設け、この切り換えスイッチ２３３，２４４のオン／オフによって、スキャナ画像処理部２１０に含まれる各部に対する電源供給を、スキャナ制御部２２０から切り離して制御できるようにしている。つまり、電源部６に設けた切り換えスイッチ６０２がオンされていれば、スキャナ部２のスキャナ制御部２２０に対しては常に電源が供給されるが、スキャナ画像処理部２１０に対しては、切り換えスイッチ２３３，２４４がオンであれば電源が供給され、切り換えスイッチ２３３，２４４がオフされれば電源供給が遮断されることになる。これにより、スキャナ部２のスキャナ制御部２２０に対してのみ電源を供給し、スキャナ画像処理部２１０に対する電源供給は遮断して無駄に電力を消費しない動作モードを設けることが可能となり、消費電力の削減を図る上で有効となる。
【００３７】
なお、図２に例示した回路構成では、スキャナ画像処理部２１０の読取制御部２３０と読取画像処理部２４０とにそれぞれ切り換えスイッチ２３３，２４４を設けるようにしているが、これら切り換えスイッチ２３３，２４４を統合して１つのスイッチとしてもよい。また、これら切り換えスイッチ２３３，２４４は、スキャナ画像処理部２１０に対する電源供給を個別に（つまり、スキャナ制御部２２０から切り離して）切り換えるように設けられていればよく、スキャナ部２の外部、例えば電源部６などに設けるようにしてもよい。
【００３８】
図３は、本実施の形態にかかるデジタル複写機における動作モードの遷移を示す状態遷移図であり、図４は、動作モードごとのデジタル複写機の各部に対する電源供給状態を纏めた図である。以下、図３および図４を参照しながら、本実施の形態にかかるデジタル複写機の動作モードの遷移と各部に対する電源供給の切り換え手順の概要について説明する。
【００３９】
電源コードが接続され、メインスイッチ８がオフの状態となっているプラグインモード（Ｍ１００）では、デジタル複写機の全てに対して電源（ＡＣ電源）の供給が遮断されている。この状態でメインスイッチ８がオンされると、デジタル複写機の各部に電源が供給されて、スキャナ部２の初期設定が実行される。
【００４０】
スキャナ部２の初期設定が終了すると、スキャナ画像処理部２１０に設けられた切り換えスイッチ２３３，２４４がオンからオフに切り換えられる。これにより、スキャナ画像処理部２１０に対する電源供給が遮断され、コマンド待受状態であるスタンバイモード（Ｍ１０１）に移行する。
【００４１】
スタンバイモード（Ｍ１０１）において、コマンドが何ら入力されることなく予め設定された時間が経過すると、自動的に起動トリガ待受状態であるスリープモード（Ｍ１０２）に移行する。このスリープモード（Ｍ１０２）では、システム制御部３の一部（ＣＰＵ３０１）と外部Ｉ／Ｆ部５と操作部７の一部（主電源キー）に対してのみ電源が供給され、その他の電源は、電源部６に設けられた切り換えスイッチ６０２がオフされることで、遮断される。なお、スタンバイモード（Ｍ１０１）からスリープモード（Ｍ１０２）に自動的に移行する時間は、例えば、システム制御部３に設けられたタイマ３０３を用いて計測することができる。
【００４２】
スリープモード（Ｍ１０２）において、操作部７の主電源キーが押下されると、スタンバイモード（Ｍ１０１）へ移行する。また、スリープモード（Ｍ１０２）において、外部Ｉ／Ｆ部５がパーソナルコンピュータ等の外部装置から印刷コマンドを受信すると、第２プリントモード（Ｍ１０４）に移行して印刷が行われる。この第２プリントモード（Ｍ１０４）では、プロッタ部１、システム制御部３、外部Ｉ／Ｆ部５に対しては電源が供給され、スキャナ部２に対する電源供給は遮断される。また、操作部７については主電源キーに対してのみ電源が供給され、それ以外の電源供給は遮断される。
【００４３】
第２プリントモード（Ｍ１０４）において、プリントのコマンドが終了するとスリープモード（Ｍ１０２）に自動的に移行する。
【００４４】
また、スタンバイモード（Ｍ１０１）において、スキャナ部２の原稿挿入センサＳｅ０により原稿の挿入が検出されると、スキャナ画像処理部２１０に設けられた切り換えスイッチ２３３，２４４がオフからオンに切り換えられて、スキャナ画像処理部２１０に対して電源が供給される。そして、スキャナ部２に対する初期設定が実行され、初期設定が終了すると、原稿の読取を行うスキャナモード（Ｍ１０５）に移行する。このスキャナモード（Ｍ１０５）では、デジタル複写機の全てに対して電源が供給される。
【００４５】
また、スタンバイモード（Ｍ１０１）においてコピーの実行を指示するコマンドが入力された場合には、スキャナモード（Ｍ１０５）で読み取りが行われた画像データの処理が終了した段階で逐次印刷を実行する第１プリントモード（Ｍ１０３）に移行する。この場合、原稿の読み取りおよび画像処理が終了した段階で、スキャナ画像処理部２１０に設けられた切り換えスイッチ２３３，２４４がオンからオフに切り換えられ、スキャナ画像処理部２１０に対する電源供給が遮断される。そして、第１プリントモード（Ｍ１０３）でのプリント出力が実行され、プリント出力が終了したらスタンバイモード（Ｍ１０１）に移行する。
【００４６】
また、スキャナモード（Ｍ１０５）において、原稿の読み取りを行っている間にスキャナセンサ部２２２によりジャムなどの何らかの異常が検知された場合には、スキャナ画像処理部２１０に設けられた切り換えスイッチ２３３，２４４がオンからオフに切り換えられてスキャナ画像処理部２１０に対する電源供給が遮断され、スタンバイモード（Ｍ１０１）に移行する。
【００４７】
以上のように、本実施の形態にかかるデジタル複写機では、プラグインモードのときはデジタル複写機の全てに対して電源供給が遮断される。また、スタンバイモードのときは、スキャナ部２のスキャナ画像処理部２１０に対する電源供給のみが遮断される。また、スキャナモードのときは、デジタル複写機の全てに対して電源が供給される。また、第１プリントモードのときは、スキャナ部２のスキャナ画像処理部２１０に対する電源供給のみが遮断される。また、第２プリントモードのときは、スキャナ部２のスキャナ画像処理部２１０およびスキャナ制御部２２０と主電源キーを除く操作部７に対する電源供給が遮断される。また、スリープモードのときは、システム制御部３の一部（ＣＰＵ３０１）と外部Ｉ／Ｆ部５と操作部７の一部（主電源キー）のみに電源が供給され、その他の電源供給は遮断される。
【００４８】
従来の画像読取装置や画像形成装置では、省電力モードとして上記のスリープモード（Ｍ１０２）に相当する動作モード、つまり、必要最低限の電力供給のみを行って起動トリガ待ち受け状態となる動作モードが設けられたものはあるが、上記のスタンバイモード（Ｍ１０１）や第１プリントモード（Ｍ１０３）のように、スキャナ部２のスキャナ制御部２２０に対しては電源供給し、スキャナ画像処理部２１０に対する電源供給は遮断することで消費電力の削減を図る動作モードは設けられていない。これは、スキャナ部２のスキャナ画像処理部２１０に対する電源供給と遮断を、スキャナ制御部２２０から独立して切り換えることが可能な構成となっていないためである。なお、従来の画像読取装置や画像形成装置においても、コマンド待ち受け状態であるスタンバイモードを設けたものはあるが、従来の画像読取装置や画像形成装置におけるスタンバイモードでは、スキャナ部２のスキャナ画像処理部２１０に対しても電源供給が行われている。
【００４９】
本実施の形態にかかるデジタル複写機では、上述したように、スキャナ部２のスキャナ画像処理部２１０に、システム制御部３の電源制御部３１０からの電源切り換え信号によってオン／オフが切り換えられる切り換えスイッチ２３３，２４４を設け、この切り換えスイッチ２３３，２４４のオン／オフによって、スキャナ画像処理部２１０に対する電源供給を、スキャナ制御部２２０から切り離して制御できるようにしている。これにより、スタンバイモード（Ｍ１０１）や第１プリントモード（Ｍ１０３）において、スキャナ部２のスキャナ制御部２２０に対しては電源供給しながら、スキャナ画像処理部２１０に対する電源供給を遮断することができ、消費電力の大幅な削減を図ることができる。
【００５０】
また、従来の画像読取装置や画像形成装置においても、原稿の画像の読み取り動作中にジャムなどの異常が発生した場合にスタンバイモードに移行し、予め設定した時間が経過したらスリープモードに移行して消費電力の削減を図るようにしたものがあるが、スタンバイモードでは上述したようにスキャナ部２のスキャナ画像処理部２１０に対しても電源供給が行われているため、スリープモードに移行するまでの間のスキャナ画像処理部２１０での電力消費が無駄になる。これに対して、本実施の形態にかかるデジタル複写機では、スキャナモード（Ｍ１０５）での原稿の読み取り動作中にジャムなどの異常が検知された場合に、すぐにスタンバイモード（Ｍ１０１）にてスキャナ部２のスキャナ画像処理部２１０に対する電源供給を遮断するようにしているので、スリープモード（Ｍ１０２）に移行するまでの間の無駄な電力消費も削減し、消費電力の大幅な削減を図ることができる。
【００５１】
次に、本実施の形態にかかるデジタル複写機の上述した動作モードの遷移に伴う動作の概要について、特にスキャナ部２に関わる動作を中心に説明する。なお、以下の動作はシステム制御部３による制御のもとで実行され、特に電源供給の切り換えはシステム制御部３の電源制御部３１０によって制御される。
【００５２】
まず、プラグインモード（Ｍ１００）からスタンバイモード（Ｍ１０１）に移行する際の動作について説明する。図５は、プラグインモード（Ｍ１００）からスタンバイモード（Ｍ１０１）に移行する際の一連の動作を示すフローチャートである。
【００５３】
デジタル複写機の電源コードが接続され、メインスイッチ８がオフであるプラグインモード（Ｍ１００）では、上述したように、全ての電源（ＡＣ電源）が遮断されている。この状態でメインスイッチ８がオンされると（ステップＳ１０１）、まず、スキャナ画像処理部２１０を除く各部に電源が供給される（ステップＳ１０２）。
【００５４】
次に、システム制御部３により、スキャナ部２のスキャナセンサ部２２２に含まれる１つ以上のセンサが反応しているか否かが判定される（ステップＳ１０３）。そして、スキャナセンサ部２２２に含まれる１つ以上のセンサが反応している場合には（ステップＳ１０３：Ｙｅｓ）、操作部７に異常状態（イニシャルジャム）が表示され（ステップＳ１０４）、システム制御部３のメモリ３０２に異常状態（イニシャルジャム）の情報がログデータとして書込まれる（ステップＳ１０５）。
【００５５】
次に、システム制御部３により、スキャナセンサ部２２２に含まれる１つ以上のセンサが反応している状態のまま（未反応の状態に復帰しないまま）、予め設定した時間が経過したか否かが判定される（ステップＳ１０６、ステップＳ１０７）。そして、スキャナセンサ部２２２に含まれる１つ以上のセンサが反応している状態のまま設定時間が経過した場合には（ステップＳ１０６：Ｙｅｓ、ステップＳ１０７：Ｎｏ）、スタンバイモード（Ｍ１０１）へは移行せずにスリープモード（Ｍ１０２）に移行して、図５のフローで示す処理を終了する。
【００５６】
一方、オペレータが操作部７の表示を確認して異常処理を行った結果、スキャナセンサ部２２２に含まれる全てのセンサが未反応状態に復帰すると（ステップＳ１０６：Ｎｏ、ステップＳ１０７：Ｙｅｓ）、スキャナ画像処理部２１０に対して電源が供給される（ステップＳ１０８）。また、ステップＳ１０３でスキャナセンサ部２２２に含まれる全てのセンサが未反応状態になっていると判定された場合（ステップＳ１０３：Ｎｏ）にも、ステップＳ１０８においてスキャナ画像処理部２１０に対して電源が供給される。
【００５７】
次に、システム制御部３により、スキャナ部２の初期設定処理として、第１の初期設定処理を行うか、第１の初期設定処理よりも設定項目の多い第２の初期設定処理を行うかが判定される（ステップＳ１０９）。この判定は、ステップＳ１０８でスキャナ画像処理部２１０に電源を供給するまでの間の電源供給が遮断されている状態の持続時間を、例えばシステム制御部３に設けたタイマ３０３により計測し、スキャナ画像処理部２１０に対する電源供給が遮断された状態の持続時間が所定時間を超えたか否かを確認することによって行われる。そして、スキャナ画像処理部２１０に対する電源供給が遮断された状態の持続時間が所定時間以下であれば、スキャナ部２に対する初期設定処理として第１の初期設定処理を実行し（ステップＳ１１０）、スキャナ画像処理部２１０に対する電源供給が遮断された状態の持続時間が所定時間を超えていれば、スキャナ部２に対する初期設定処理として第１の初期設定処理よりも設定項目の多い第２の初期設定処理を実行する（ステップＳ１１１）。つまり、スキャナ画像処理部２１０に対して電源供給が遮断されていた時間が短ければ、スキャナ部２に対する初期設定処理として設定項目の少ない簡易的な処理を行い、スキャナ画像処理部２１０に対して電源供給が遮断されていた時間が長ければ、設定項目の多い十分な初期設定処理を行う。なお、上記所定時間は操作部７からの操作により任意に変更できるようにすることが望ましい。
【００５８】
スキャナ部２に対する初期設定処理が終了すると、スキャナ画像処理部２１０に対する電源供給が遮断され（ステップＳ１１２）、スタンバイモード（Ｍ１０１）に移行して、図５のフローで示す処理を終了する。
【００５９】
ここで、図５のステップＳ１１０で実行される第１の初期設定処理と、図５のステップＳ１１１で実行される第２の初期設定処理の詳細について、図６および図７を参照して説明する。図６は、第１の初期設定処理を示すフローチャートであり、図７は、第２の初期設定処理を示すフローチャートである。
【００６０】
まず、第１の初期設定処理について図６を参照して説明する。第１の初期設定処理が開始されると、システム制御部３によってスキャナ部２の異常検出処理が実行され、スキャナ部２に異常があるか否かが判定される（ステップＳ２０１）。なお、ここでの異常検出処理は、スキャナ部２の電気回路における異常状態を検出する処理であり、具体的には、読取画像処理部２４０のＦＰＧＡ２４３のレジスタアクセス確認を行うことにより接続異常の確認などが行われる。
【００６１】
ここで、スキャナ部２に異常ありと判定された場合には（ステップＳ２０１：Ｙｅｓ）、スキャナ画像処理部２１０に対する電源供給が遮断された後（ステップＳ２０２）、操作部７に異常状態（異常の内容およびサービスマンコールが必要である旨の情報）が表示され（ステップＳ２０３）、システム制御部３のメモリ３０２に異常状態（異常の内容）の情報がログデータとして書込まれる（ステップＳ２０４）。
【００６２】
一方、ステップＳ２０１でスキャナ部２に異常がないと判定された場合には（ステップＳ２０１：Ｎｏ）、次に、スキャナ画像処理部２１０の読取画像処理部２４０内のＡＳＩＣ２４１、ＦＰＧＡ２４３のレジスタ初期化および読取制御部２３０内のＡＦＥ２３１のアナログＡＳＩＣのレジスタ初期設定（ステップＳ２０５）、読取画像処理部２４０内のＡＳＩＣ２４１のブートプログラムの実行（ステップＳ２０６）、読取画像処理部２４０内のＡＳＩＣ２４１へのパラメータセット（ステップＳ２０７）、読取画像処理部２４０内のＡＳＩＣ２４１へのシェーディングデータ閾値変更（ステップＳ２０８）が順に実行される。なお、ＣＩＳ３４を複数個使用している場合には、上記設定に加えて、読取画像処理部２４０の主走査、副走査方向の繋ぎ目パラメータの設定も行う。
【００６３】
そして、最後に、前回の初期設定処理で設定されていたＡＧＣ調整値、白レベル調整値、黒レベル調整値が読取画像処理部２４０に設定され（ステップＳ２０９）、図６のフローで示す第１の初期設定処理が終了する。なお、前回の初期設定処理で設定されていたＡＧＣ調整値、白レベル調整値、黒レベル調整値は、スキャナ画像処理部２１０に対する電源供給が遮断される前に、システム制御部３のメモリ３０２などに格納される。
【００６４】
次に、第２の初期設定処理について図７を参照して説明する。第２の初期設定処理は、第１の初期設定処理に加えて、ＡＧＣ調整や白レベル調整、黒レベル調整を実施し、得られた各調整値の設定も行うようにしたものである。なお、図７のフローにおけるステップＳ３０１〜ステップＳ３０８までの処理は、上述した第１の初期設定処理（図６のフローにおけるステップＳ２０１〜ステップＳ２０８）と同様であるため、以下では、第１の初期設定処理とは異なるステップＳ３０９以降の処理についてのみ説明する。
【００６５】
第２の初期設定処理では、スキャナ部２のＣＩＳ３４の各々の読み取り値が所定値に揃うように、読取制御部２３０内のＡＦＥ２３１に対するＡＧＣ調整が行われる（ステップＳ３０９）。次に、各ＣＩＳ３４での白色基準板が基準値となるように、ＣＩＳ３４が使用する光源（ＬＥＤ）の光量を調整する白レベル調整が実行さる（ステップＳ３１０）。また、白レベル調整が実行された後、黒レベル調整（ＬＥＤが点灯していないときのＣＩＳ３４の出力値（黒レベル値）を規定値に合わせる調整）が実行される（ステップＳ３１１）。
【００６６】
次に、システム制御部３によって、ステップＳ３０９で実行したＡＧＣ調整の調整値と、ステップＳ３１０で実行した白レベル調整の調整値と、ステップＳ３１１で実行した黒レベル調整の調整値が、それぞれ所定範囲内にあるか否かが判定される（ステップＳ３１２）。そして、いずれか１つでも所定範囲内にない調整値があると判定された場合には（ステップＳ３１２：Ｎｏ）、スキャナ画像処理部２１０に対する電源供給が遮断され（ステップＳ３１３）、その後、操作部７に異常状態（異常の内容およびサービスマンコールが必要である旨の情報）が表示され（ステップＳ３１４）、システム制御部３のメモリ３０２に異常状態（異常の内容）の情報がログデータとして書込まれる（ステップＳ３１５）。
【００６７】
一方、ステップＳ３０９で実行したＡＧＣ調整の調整値と、ステップＳ３１０で実行した白レベル調整の調整値と、ステップＳ３１１で実行した黒レベル調整の調整値が、全て所定範囲内にあると判定された場合には（ステップＳ３１２：Ｙｅｓ）、それらの調整値が読取画像処理部２４０に設定されて、図７のフローで示す第２の初期設定処理が終了する。
【００６８】
ＡＧＣ調整はＣＩＳ３４の出力電圧に絡む調整であるため、主に光源となるＬＥＤの変動（長期的には光源が減少するため）により調整が必要となるが、それ程頻繁に調整する必要はない。また、ＬＥＤは周囲温度により光量が変動するが、定電流駆動としているので変動幅は小さい。また、黒レベル調整は主にＣＩＳ３４の温度に依存するので、機械の周囲温度が大きく変化しなければ補正の必要がないため、これらの調整は頻繁に行うまでもない。また、白レベル調整も同様に頻繁に行う必要がない。本実施の形態にかかるデジタル複写機では、以上の観点から、スキャナ画像処理部２１０に対して電源供給が遮断されていた時間が短ければ、ＡＧＣ調整や黒レベル調整、白レベル調整を行わない第１の初期設定処理を実行し、スキャナ画像処理部２１０に対して電源供給が遮断されていた時間が長い場合にのみ、上記の各調整を含む第２の初期設定処理を実行するようにしている。これにより、スキャナ部２に対する初期設定を効率的に行って、初期設定処理に伴うダウンタイムを低減することを可能にしている。
【００６９】
次に、スタンバイモード（Ｍ１０１）からスキャナモード（Ｍ１０５）に移行して原稿の読み取りを行う際のスキャナ部２の動作について説明する。図８は、スタンバイモード（Ｍ１０１）からスキャナモード（Ｍ１０５）に移行して原稿の読み取りを行う際の一連の動作を示すフローチャートである。また、図９は、原稿Ｇの位置に対するスキャナ部２の動作を説明する図であり、スキャナ部２を上方から見下ろした様子を模式的に表す平面図である。
【００７０】
スタンバイモード（Ｍ１０１）にてオペレータが原稿Ｇをスキャナ部２に挿入し、原稿Ｇの先端が図９に示す位置Ｐ１に達すると、原稿挿入センサＳｅ０がオンとなる。スタンバイモード（Ｍ１０１）では、システム制御部３がこの原稿挿入センサＳｅ０の状態を監視して、原稿Ｇがスキャナ部２に挿入されたか否かを判定する（ステップＳ４０１）。そして、原稿Ｇがスキャナ部２に挿入されたと判定されると（ステップＳ４０１：Ｙｅｓ）、スキャナ画像処理部２１０に対して電源が供給される（ステップＳ４０２）。
【００７１】
次に、システム制御部３により、スキャナ部２の初期設定処理として上述した第１の初期設定処理を行うか第２の初期設定処理を行うかが判定される（ステップＳ４０３）。この判定は、図５のステップＳ１０９の判定と同様に、ステップＳ４０２でスキャナ画像処理部２１０に電源を供給するまでの間の電源供給が遮断されている状態の持続時間を、例えばシステム制御部３に設けたタイマ３０３により計測し、スキャナ画像処理部２１０に対する電源供給が遮断された状態の持続時間が所定時間を超えたか否かを確認することによって行われる。そして、スキャナ画像処理部２１０に対する電源供給が遮断された状態の持続時間が所定時間以下であれば、スキャナ部２に対する初期設定処理として第１の初期設定処理を実行し（ステップＳ４０４）、スキャナ画像処理部２１０に対する電源供給が遮断された状態の持続時間が所定時間を超えていれば、スキャナ部２に対する初期設定処理として第２の初期設定処理を実行する（ステップＳ４０５）。
【００７２】
また、スキャナ部２に対する初期設定処理が行われている間に、システム制御部３の制御のもとでモータドライバ２２１が原稿搬送モータ３３を駆動制御し、原稿Ｇが一定量搬送される（ステップＳ４０６）。ここでの一定量は、原稿Ｇの先端が図９に示す位置Ｐ２に到達する搬送量である。原稿Ｇの先端が図９に示す位置Ｐ２に到達すると、原稿搬送モータ３３が停止して原稿Ｇの搬送が停止される（ステップＳ４０７）。
【００７３】
次に、スキャナ部２の初期設定処理が終了すると、原稿搬送モータ３３の駆動が再開されて原稿ＧがＣＩＳ３４の画像読取面と対向する位置へと搬送され、ＣＩＳ３４による原稿の画像の読み取りが行われる（ステップＳ４０８）。このとき、システム制御部３によってスキャナセンサ部２２２の各センサの状態が一定間隔で監視され、原稿読み取り動作中にジャムなどの異常が発生したか否かが判定される（ステップＳ４０９）。ここでの異常とは、原稿搬送エラーによる原稿搬送ジャム、オペレータが緊急停止キーＳｅ８を押したことによる原稿ジャムといったオペレータが復旧できる異常と、ＣＩＳ３４の読み取りエラーといったオペレータでは復旧できず、カスタマーエンジニアによる復旧が必要な異常である。
【００７４】
そして、原稿読み取り動作中に異常が発生した場合には（ステップＳ４０９：Ｙｅｓ）、まず、スキャナ画像処理部２１０に対する電源供給が遮断される（ステップＳ４１０）。そして、スキャナ画像処理部２１０に対する電源供給が遮断された後、若しくは、スキャナ画像処理部２１０に対する電源供給の遮断と同時に、システム制御部３によって原稿搬送モータ３３を停止させる処理が開始され、原稿搬送モータ３３が停止する（ステップＳ４１１）。また、操作部７に異常状態（例えばジャムの発生などの異常の内容と異常発生箇所）が表示され（ステップＳ４１２）、システム制御部３のメモリ３０２に異常状態（ジャムの発生などの異常の内容）の情報がログデータとして書込まれる（ステップＳ４１３）。
【００７５】
一方、原稿読み取り動作中に異常がなければ（ステップＳ４０９：Ｎｏ）、システム制御部３によって原稿Ｇが排出されたか否かが判定される（ステップＳ４１４）。原稿ＧがＣＩＳ３４の画像読取面と対向する位置を通過して、原稿Ｇの後端が図９に示す位置Ｐ３に到達すると、原稿排出センサＳｅ６がオンからオフに切り替わる。システム制御部３は、この原稿排出センサＳｅ６の状態を監視することによって、原稿Ｇが排出されたか否かを判定する。そして、原稿Ｇが排出されるまでの間は（ステップＳ４１４：Ｎｏ）、ＣＩＳ３４による原稿の画像の読み取り動作が継続され、原稿Ｇが排出されると（ステップＳ４１４：Ｙｅｓ）、スキャナ画像処理部２１０に対する電源供給が遮断され（ステップＳ４１５）、スキャナモード（Ｍ１０５）での処理が終了する。
【００７６】
スキャナモード（Ｍ１０５）での処理が終了すると、上述したようにコピーの実行を指示するコマンドが入力されている場合は第１プリントモード（Ｍ１０３）に自動的に移行し、コピーの実行を指示するコマンドが入力されていない場合、つまり画像の読み取りのみが指示されている場合はスタンバイモード（Ｍ１０１）に自動的に移行する。なお、以上は、読み取る原稿が１枚のみであることを前提として説明したが、複数枚の原稿を連続して読み取る場合には、先に読み取りが行われる原稿が排出される前に次の原稿が挿入されるので、原稿排出センサＳｅ６がオフになったときに原稿挿入センサＳｅ０がオンであれば、スキャナ画像処理部２１０に対する電源供給を遮断せずに、ＣＩＳ３４による原稿の読み取り動作を継続させるようにすればよい。
【００７７】
次に、スリープモード（Ｍ１０２）からスタンバイモード（Ｍ１０１）に移行する際の動作について説明する。図１０は、スリープモード（Ｍ１０２）からスタンバイモード（Ｍ１０１）に移行する際の一連の動作を示すフローチャートである。
【００７８】
スリープモード（Ｍ１０２）にてオペレータにより操作部７の主電源キーが押下されると（ステップＳ５０１）、まず、スキャナ画像処理部２１０を除く各部に電源が供給される（ステップＳ５０２）。
【００７９】
次に、システム制御部３により、スキャナ部２のスキャナセンサ部２２２に含まれる１つ以上のセンサが反応しているか否かが判定される（ステップＳ５０３）。そして、スキャナセンサ部２２２に含まれる１つ以上のセンサが反応している場合には（ステップＳ５０３：Ｙｅｓ）、操作部７に異常状態（イニシャルジャム）が表示され（ステップＳ５０４）、システム制御部３のメモリ３０２に異常状態（イニシャルジャム）の情報がログデータとして書込まれる（ステップＳ５０５）。
【００８０】
次に、システム制御部３により、スキャナセンサ部２２２に含まれる１つ以上のセンサが反応している状態のまま（未反応の状態に復帰しないまま）、予め設定した時間が経過したか否かが判定される（ステップＳ５０６、ステップＳ５０７）。そして、スキャナセンサ部２２２に含まれる１つ以上のセンサが反応している状態のまま設定時間が経過した場合には（ステップＳ５０６：Ｙｅｓ、ステップＳ５０７：Ｎｏ）、スタンバイモード（Ｍ１０１）へは移行せずにスリープモード（Ｍ１０２）に移行して、図１０のフローで示す処理を終了する。
【００８１】
一方、オペレータが操作部７の表示を確認して異常処理を行った結果、スキャナセンサ部２２２に含まれる全てのセンサが未反応状態に復帰すると（ステップＳ５０６：Ｎｏ、ステップＳ５０７：Ｙｅｓ）、スキャナ部２の初期設定処理を行うかどうかが判定される（ステップＳ５０８）。また、ステップＳ５０３でスキャナセンサ部２２２に含まれる全てのセンサが未反応状態になっていると判定された場合（ステップＳ５０３：Ｎｏ）にも、ステップＳ５０８においてスキャナ部２の初期設定処理を行うかどうかの判定が行われる。この判定は、上述した第１の初期設定処理と第２の初期設定処理のどちらを実行するかを判定する場合と同様に、スキャナ画像処理部２１０に対する電源供給が遮断されている状態の持続時間を、例えばシステム制御部３に設けたタイマ３０３により計測し、スキャナ画像処理部２１０に対する電源供給が遮断された状態の持続時間が所定時間を超えたか否かを確認することによって行われる。
【００８２】
そして、スキャナ画像処理部２１０に対する電源供給が遮断された状態の持続時間が所定時間を超えていれば、スキャナ画像処理部２１０に対して電源が供給され（ステップＳ５０９）、スキャナ部２に対して上述した第２の初期設定処理が行われる（ステップＳ５１０）。そして、第２の初期設定処理が終了するとスキャナ画像処理部２１０に対する電源供給が遮断され（ステップＳ５１２）、スタンバイモード（Ｍ１０１）に移行して、図１０のフローで示す処理を終了する。一方、スキャナ画像処理部２１０に対する電源供給が遮断された状態の持続時間が所定時間以下であれば、スキャナ部２に対する初期設定処理は行われず、そのままスタンバイモード（Ｍ１０１）に移行して、図１０のフローで示す処理を終了する。
【００８３】
次に、スキャナ部２にオペレータでは処理できない異常が発生し、カスタマーエンジニアによって異常状態からの復旧作業が行われた後の動作について説明する。図１１は、カスタマーエンジニアによって異常状態からの復旧作業が行われた後の一連の動作を示すフローチャートである。
【００８４】
カスタマーエンジニアによる復旧作業は、メインスイッチ８がオフであるプラグインモード（Ｍ１００）で行われる。カスタマーエンジニアによる復旧作業が終了し、メインスイッチ８がオンされると（ステップＳ６０１）、まず、スキャナ画像処理部２１０を除く各部に電源が供給される（ステップＳ６０２）。
【００８５】
次に、システム制御部３により、スキャナ部２のスキャナセンサ部２２２に含まれる１つ以上のセンサが反応しているか否かが判定される（ステップＳ６０３）。そして、スキャナセンサ部２２２に含まれる１つ以上のセンサが反応している場合には（ステップＳ６０３：Ｙｅｓ）、操作部７に異常状態（イニシャルジャム）が表示され（ステップＳ６０４）、システム制御部３のメモリ３０２に異常状態（イニシャルジャム）の情報がログデータとして書込まれる（ステップＳ６０５）。
【００８６】
次に、システム制御部３により、スキャナセンサ部２２２に含まれる１つ以上のセンサが反応している状態のまま（未反応の状態に復帰しないまま）、予め設定した時間が経過したか否かが判定される（ステップＳ６０６、ステップＳ６０７）。そして、スキャナセンサ部２２２に含まれる１つ以上のセンサが反応している状態のまま設定時間が経過した場合には（ステップＳ６０６：Ｙｅｓ、ステップＳ６０７：Ｎｏ）、スタンバイモード（Ｍ１０１）へは移行せずにスリープモード（Ｍ１０２）に移行して、図１１のフローで示す処理を終了する。
【００８７】
一方、オペレータが操作部７の表示を確認して異常処理を行った結果、スキャナセンサ部２２２に含まれる全てのセンサが未反応状態に復帰すると（ステップＳ６０６：Ｎｏ、ステップＳ６０７：Ｙｅｓ）、スキャナ画像処理部２１０に対して電源が供給される（ステップＳ６０８）。また、ステップＳ６０３でスキャナセンサ部２２２に含まれる全てのセンサが未反応状態になっていると判定された場合（ステップＳ６０３：Ｎｏ）にも、ステップＳ６０８においてスキャナ画像処理部２１０に対して電源が供給される。
【００８８】
次に、システム制御部３により、カスタマーエンジニアによる復旧作業においてスキャナ部２のスキャナ画像処理部２１０を構成するいずれかの部品（ＣＩＳ３４、読取制御部２３０、読取画像処理部２４０）の交換が行われたか否かが判定される（ステップＳ６０９）。この判定は、例えば、カスタマーエンジニアが上記の部品を交換した場合に部品交換を行ったことを示す何らかの情報をシステム制御部３のメモリ３０２などに書き込んでおき、システム制御部３がメモリ３０２を参照してこのような情報が書き込まれている場合に、部品交換が行われたと判定するといった方法で実現可能である。
【００８９】
そして、カスタマーエンジニアによる復旧作業においてスキャナ部２のスキャナ画像処理部２１０を構成するいずれかの部品の交換が行われた場合には（ステップＳ６０９：Ｙｅｓ）、スキャナ部２の初期設定処理として上述した第２の初期設定処理が行われる（ステップＳ６１０）。
【００９０】
一方、カスタマーエンジニアによる復旧作業においてスキャナ部２のスキャナ画像処理部２１０を構成する部品の交換が行われていない場合には（ステップＳ６０９：Ｎｏ）、システム制御部３により、スキャナ部２の初期設定処理として上述した第１の初期設定処理を行うか第２の初期設定処理を行うかが判定される（ステップＳ６１１）。この判定は、図５のステップＳ１０９の判定と同様に、ステップＳ６０８でスキャナ画像処理部２１０に電源を供給するまでの間の電源供給が遮断されている状態の持続時間を、例えばシステム制御部３に設けたタイマ３０３により計測し、スキャナ画像処理部２１０に対する電源供給が遮断された状態の持続時間が所定時間を超えたか否かを確認することによって行われる。そして、スキャナ画像処理部２１０に対する電源供給が遮断された状態の持続時間が所定時間以下であれば、スキャナ部２に対する初期設定処理として第１の初期設定処理が行われ（ステップＳ６１２）、スキャナ画像処理部２１０に対する電源供給が遮断された状態の持続時間が所定時間を超えていれば、スキャナ部２に対する初期設定処理として第２の初期設定処理が行われる（ステップＳ６１３）。
【００９１】
スキャナ部２に対する初期設定処理が終了すると、スキャナ画像処理部２１０に対する電源供給が遮断され（ステップＳ６１４）、スタンバイモード（Ｍ１０１）に移行して、図１１のフローで示す処理を終了する。
【００９２】
以上、具体的な例を挙げながら詳細に説明したように、本実施の形態にかかるデジタル複写機は、システム制御部３の電源制御部３１０からの電源切り換え信号に応じてオン／オフが切り換えられる切り換えスイッチ２３３，２４４をスキャナ部２のスキャナ画像処理部２１０に設け、スキャナ画像処理部２１０に対する電源供給を、スキャナ制御部２２０から独立して個別に制御できるようにしている。そして、スキャナ部２で原稿の画像の読み取り動作を行っている間に原稿ジャム等の異常が発生すると、まずスキャナ画像処理部２１０に対する電源供給を遮断し、このスキャナ画像処理部２１０に対する電源供給が遮断された後、若しくは、スキャナ画像処理部２１０に対する電源供給の遮断と同時に、原稿搬送モータ３３を停止させる処理や、メモリ３０２に異常発生を示すログデータを書き込む処理を開始するようにしている。このように、本実施の形態にかかるデジタル複写機は、画像の読み取り動作中に異常が発生すると直ぐにスキャナ画像処理部２１０に対する電源供給を遮断して、スキャナ画像処理部２１０に対する電源供給を遮断した状態で異常が発生した場合に必要とされる各種処理を行うようにしているので、無駄な電力消費を削減することができ、消費電力の大幅な削減を図ることができる。
【００９３】
なお、本実施の形態にかかるデジタル複写機において、上述したスキャナ画像処理部２１０に対する電源制御（電源制御部３１０）や、原稿搬送モータ３３の停止処理、メモリ３０２へのログデータの書込処理などは、例えば、システム制御部３のＣＰＵ３０１が、予め組み込まれて提供される制御プログラムを実行することによって実現される。また、本実施の形態にかかるデジタル複写機で実行される制御プログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００９４】
さらに、本実施の形態にかかるデジタル複写機で実行される制御プログラムを、インターネット等のネットワークに接続されたコンピュータ上に格納し、ネットワーク経由でダウンロードさせることにより提供するように構成してもよい。また、本実施の形態にかかるデジタル複写機で実行される制御プログラムを、インターネット等のネットワーク経由で提供または配布するように構成してもよい。
【００９５】
なお、上記実施の形態では、本発明をシートスルー方式のスキャナ部２で原稿Ｇの画像を読み取り、プロッタ部１で原稿の画像をロール紙（用紙）Ｐに印刷する大判対応型のデジタル複写機に適用した例について説明したが、本発明は、上記実施の形態で説明したデジタル複写機に限らず、原稿の画像の読み取りを行うあらゆるタイプの画像読取装置および画像読取装置を備えた画像形成装置に対して広く適用することができる。また、上記実施の形態として開示した技術事項は、本発明の好ましい適用例を例示したものであり、本発明の技術的範囲が上記実施の形態として開示した技術事項に限定されるものではない。本発明の技術的範囲は、上記実施の形態として開示した具体的な技術事項に加え、本発明の趣旨を逸脱しない範囲において容易に想到し得る様々な変形例、代替技術を含むものである。
【符号の説明】
【００９６】
１  プロッタ部（画像形成手段）
２  スキャナ部（画像読取装置）
３  システム制御部（制御手段）
３３  原稿搬送モータ
２１０  スキャナ画像処理部（画像読取処理手段）
２３３，２４４  切り換えスイッチ
３０２  メモリ（記憶手段）
３０３  タイマ（計測手段）
３１０  電源制御部（電源制御手段）
【先行技術文献】
【特許文献】
【００９７】
【特許文献１】特開平９−１０９５１９号公報
【図１】
2012060598.tif 000003
【図２】
2012060598.tif 000004
【図３】
2012060598.tif 000005
【図４】
2012060598.tif 000006
【図５】
2012060598.tif 000007
【図６】
2012060598.tif 000008
【図７】
2012060598.tif 000009
【図８】
2012060598.tif 000010
【図９】
2012060598.tif 000011
【図１０】
2012060598.tif 000012
【図１１】
2012060598.tif 000013